(57)【要約】【課題】規格の改定があった場合などにも容易に追随可能で、人手を掛けずにフォローアップが可能なキャリブレーションシステムを提供すること。また、ネットワークで接続された複数のディスプレイ端末のキャリブレーションを、そのネットワークに接続された上位装置からの指示で各端末自身に実行させるようにして、効率化を図ること。【解決手段】有線および／または無線ネットワークで接続された複数のディスプレイ端末とこれらの端末を管理する機能を有する上位装置からなり、前記上位装置は、前記複数のディスプレイ端末に対するＱＣアプリケーションプログラムと、前記複数のディスプレイ端末それぞれに対応する表示特性調整指示機能とを有することを特徴とするキャリブレーションシステム。【選択図】図１
2004172799.tif 000002
【特許請求の範囲】
【請求項１】
有線および／または無線ネットワークで接続された複数のディスプレイ端末とこれらの端末を管理する機能を有する上位装置からなり、
前記上位装置は、前記複数のディスプレイ端末に対するＱＣアプリケーションプログラムと、
前記複数のディスプレイ端末それぞれに対応する表示特性調整指示機能と
を有することを特徴とするキャリブレーションシステム。
【請求項２】
前記上位装置の有する端末管理機能は、獲得した各端末の輝度データに基づいて当該端末それぞれに対応する表示特性調整情報を作成もしくは選択し、
前記複数のディスプレイ端末に通知する機能を含むことを特徴とする請求項１に記載のキャリブレーションシステム。
【請求項３】
前記表示特性調整情報は、γ補正のためのＬＵＴであることを特徴とする請求項２に記載のキャリブレーションシステム。
【発明の詳細な説明】
【０００１】
【発明の属する技術分野】
本発明はキャリブレーションシステムに関し、より具体的には、複数のディスプレイの画質管理（いわゆる、ＱＣ）を、有線または無線のネットワークにより上記複数のディスプレイと接続されているサーバーにより一括管理するようにしたキャリブレーションシステムに関する。
【０００２】
【従来の技術】
ＭＲＩ診断装置，Ｘ線診断装置，ＦＣＲ（富士コンピューテッド・ラジオグラフィ：富士写真フイルム（株）商品名）等の医療用測定（診断）装置で撮影された診断画像は、通常、Ｘ線フィルム等の画像記録フィルムに記録されて光透過性の画像として再生される。この診断画像が再生されたフィルムは、シャーカステンと呼ばれる観察装置にセットされて、背面から光を照射された状態で観察され、診断が行われる。
【０００３】
これに対して、近年、医療用測定（診断）装置で撮影された診断画像を、ＣＲＴ（いわゆる、ブラウン管表示装置）やＬＣＤ（液晶表示装置）などのディスプレイに表示して、観察／診断することが行われるようになってきた（電子シャーカステン）。
【０００４】
フィルム上に再生された画像を用いて診断を行う場合には、いわば、画像は固定されたものであり、シャーカステンの輝度や観察環境による若干の違いはあるものの、基本的には、異なる場所，異なる時点においても、同じ画像を観察して診断を行うことができる。
しかしながら、ディスプレイ画像を用いて診断（以下、これをディスプレイ診断という）を行う場合には、固定されているのは画像データであって、表示画像すなわち診断画像は、ディスプレイの種類や状態、さらには経時的な変動等によって変化してしまう。
【０００５】
このような、フィルム上の画像とディスプレイ画像との違いは、誤診の原因ともなり得る重大な問題である。そのため、ディスプレイ診断を行う場合には、ディスプレイの状態を適正に保つための、ディスプレイの品質管理（より具体的には、画質管理ともいうべきものであり、以下、ＱＣと称する）が極めて重要である。
【０００６】
例えば、ＣＲＴでは経時等によって輝度劣化を生じた場合には、電子ビーム出力を強くして、所定の輝度を回復することが行われる。
また、ＬＣＤでは経時によってバックライトの輝度劣化が生じた場合には、電圧調整を行って、所定の輝度を回復することが行われる。
【０００７】
これとは別に、診断用のディスプレイについては、品質維持のための評価および試験の方法がＪＩＳなどに規定されている（ＪＩＳＺ４７５２−２‐５：２００１参照）。そこで、近年では、この試験方法を遵守し、間違いを防止するために、各診断用ディスプレイに、上述の試験方法を具体化したアプリケーションプログラムがインストールされ、試験がスケジューリングされている。
【０００８】
すなわち、当初は、上述のようなディスプレイの品質管理（ＱＣ）は、個々のディスプレイについて個別に対処するというやり方で行われていた（例えば、特許文献１参照）。この場合、初期の段階では、人が所定のスケジュールに従ってデータを読み取るなどして、マニュアル入力することも可能であるが、これは大変手間がかかるとともに、誤りが発生する惧れのある方法であった。
【０００９】
これに代わる、上述の、個々の装置にアプリケーションプログラムをインストールして実行させるという方法は、人手を減らすという点では有効であるものの、規格の改定があった場合などに、それに対応して、その都度アプリケーションプログラムをインストールし直す必要があるという、別の問題があった。この作業は、ディスプレイの数が多い場合には量も多く、大変である。
【００１０】
【特許文献１】
特開２００２−２８１５３１号公報
【００１１】
【発明が解決しようとする課題】
本発明は、上記事情に鑑みてなされたもので、その目的とするところは、従来の技術における問題を解消し、規格の改定があった場合などにも容易に追随可能で、人手を掛けずにフォローアップが可能なキャリブレーションシステムを提供することにある。
【００１２】
より具体的には、本発明の目的は、有線もしくは無線ネットワークで接続された複数のディスプレイ端末のキャリブレーションを、そのネットワークに接続された上位装置からの指示で各端末自身に実行させるように構成することにより、効率化を図ることにある。
【００１３】
【課題を解決するための手段】
上記目的を達成するため、本発明に係るキャリブレーションシステムは、有線および／または無線ネットワークで接続された複数のディスプレイ端末とこれらの端末を管理する機能を有する上位装置からなり、前記上位装置は、前記複数のディスプレイ端末に対するＱＣアプリケーションプログラムと、前記複数のディスプレイ端末それぞれに対応する表示特性調整指示機能とを有することを特徴とする。
【００１４】
ここで、前記上位装置の有する端末管理機能は、獲得した各端末の輝度データに基づいて当該端末それぞれに対応する表示特性調整情報を作成もしくは選択し、前記複数のディスプレイ端末に通知する機能を含むことが好ましい。さらに、前記表示特性調整情報は、γ（輝度階調）を補正するためのＬＵＴ（ルックアウトテーブル）であることが好ましい。
【００１５】
また、本発明に係るキャリブレーションシステムにおいては、前記上位装置が少なくともＪＩＳＺ４７５２−２−５：２００１に準拠したスケジューラ機能を有することが好ましい。また、前記各端末向けのγ補正のためのＬＵＴのテーブルフォーマットを揃える機能を有することが好ましい。
【００１６】
またさらに、本発明に係るキャリブレーションシステムにおいては、前記上位装置が前記各端末から輝度データを獲得する方式として、カメラ付き携帯端末、もしくはＣＣＤカメラとモバイルからなる通信手段からの送信、もしくは、インターネット上への発信による方式を用いることが好ましい。
【００１７】
なお、上述のカメラ付き携帯端末、もしくはＣＣＤカメラとモバイルからなる通信手段に用いられるカメラ（すなわち、読取り装置）については、定期的に校正されたものを用いることが必要であり、このための基準光源とそれに対応する基準データを用意しておき、必要に応じてデータ補正を行う機能を有することが好ましい。
【００１８】
【発明の実施の形態】
以下、添付の図面に基づいて、本発明の実施の形態を詳細に説明する。
【００１９】
図１は、本発明の一実施形態に係るキャリブレーションシステムを、病院内のＨＩＳ（病院情報システム）あるいはＲＩＳ（放射線科情報システム）に適用した場合における概略構成示す図である。図中、１０は上位装置としてのサーバ、２０ａ，２０ｂ，……は各所に配置されているディスプレイ端末、３０はインターネット等のネットワークを示している。
【００２０】
図２は、上述のサーバ１０の機能構成を説明する図である。サーバ１０は、本実施形態に係るＨＩＳあるいはＲＩＳのサーバとしての機能に加えて、キャリブレーションシステムにおけるディスプレイ端末を管理する機能を有するものであり、図に示すように、本来の機能を含めた動作の全体を制御する制御部１１に加えて、ここでの特徴であるディスプレイ端末（以下、単に端末ともいう）２０ａ，２０ｂ，……を管理する端末管理部１２を備えている。
【００２１】
なお、ここでは、各端末２０ａ，２０ｂ，……がそれぞれに、表示面の輝度を測定するための輝度測定手段（いわゆる、ＰＯＤ）を有しており、サーバ１０からの通知（指示）に基づいて、各端末２０ａ，２０ｂ，……において当該端末の表示面の輝度を測定することが可能に構成されているが、この測定は、後述するように、人による携帯端末を用いての測定によってもよい。
【００２２】
この端末管理部１２は、スケジューラ機能部１２ａ，データ管理機能部１２ｂ，端末情報取得機能部１２ｃ，演算部１２ｄ，キャリブレーション補助機能部１２ｅ等を備えており、図３および図４に示すような動作フローに基づいて、各端末２０ａ，２０ｂ，……に対して、各タイミングにおいて所定のキャリブレーションの処理を指示する。
【００２３】
なお、上述のスケジューラ機能部１２ａは、例えば前述のＪＩＳＺ４７５２−２‐５：２００１に規定されるような試験スケジュールに則って、各端末２０ａ，２０ｂ，……に対する各種の試験実行のタイミングを出力する機能を有する。この出力は、キャリブレーション補助機能部１２ｅを介して、各端末２０ａ，２０ｂ，……に通知される。
【００２４】
データ管理機能部１２ｂは、各端末２０ａ，２０ｂ，……の状態、例えば、前回の試験がいつ行われ、その結果がどうであったかなどの情報を記憶しており、新たな結果が通知された場合には、それに基づいて内容を更新することにより、常に最新の状態を記憶する機能を有する。
【００２５】
端末情報取得機能部１２ｃは通信機能を司る部分であり、インターネット上のデータを監視していて必要な情報を取り込んだり、スケジューラ機能部１２ａからの情報送出（通知）依頼に基づくデータ送出を行ったりする機能部である。
【００２６】
演算部１２ｄは、取得した情報（データ）をもとに必要な演算を行って結果を出力する機能を有する部分であり、ここでは、各端末２０ａ，２０ｂ，……から取得した輝度データをもとに、データ管理機能部１２ｂの内容を参照して、必要であれば各端末２０ａ，２０ｂ，……に対してその内部情報（例えば、γ補正ＬＵＴなど）の書換えを指示するよう、キャリブレーション補助機能部１２ｅに通知する機能を有する。
【００２７】
キャリブレーション補助機能部１２ｅは、キャリブレーションが必要な事態になったときに、その旨をスケジューラ機能部１２ａから通知されて、各端末２０ａ，２０ｂ，……への通知を行うとともに、それに基づく試験（測定）結果に基づく指示を、各端末２０ａ，２０ｂ，……へ通知することにより、各端末２０ａ，２０ｂ，……のキャリブレーション実行動作を監視する機能を有する。
【００２８】
以下、図３および図４に基づいて、上述のように構成される本実施形態に係るキャリブレーションシステムの動作を説明する。
なお、図３，図４に示したのは、各端末２０ａ，２０ｂ，……における試験の実行が必要なタイミングに達した時点における、各端末２０ａ，２０ｂ，……への通知の動作と、この通知に基づいて各端末２０ａ，２０ｂ，……で行った輝度測定等の試験結果の処置の動作である。
【００２９】
まず、図３に示した動作例では、キャリブレーション補助機能部１２ｅが、スケジューラ機能部１２ａから通知される（処理ブロック３１）、前述のＪＩＳＺ４７５２−２‐５：２００１に規定されるような試験スケジュールに則って、各種の試験実行のタイミングを、各端末２０ａ，２０ｂ，……に通知して、実行を指示する（処理ブロック３２）。
【００３０】
各端末２０ａ，２０ｂ，……では、前述のように、それぞれに実装されているＰＯＤなどの輝度測定手段により、所定の方法で、表示面の輝度を測定して、その結果（測定データ）を、所定の形式でインターネット上に送り出す（処理ブロック３３）。このデータは、サーバ１０の端末情報取得機能部１２ｃにより取り込まれて、演算部１２ｄで必要な処理が行われる。
【００３１】
演算部１２ｄでの処理は、ここでは、一例として、各端末２０ａ，２０ｂ，……のγ補正ＬＵＴの更新を行うために用いられるものとすると、前述のように、データ管理機能部１２ｂに記憶されているデータと比較した上で、必要があればγ補正ＬＵＴを修正して更新版を作成し、これをキャリブレーション補助機能部１２ｅに渡す。
【００３２】
キャリブレーション補助機能部１２ｅは、受取ったγ補正ＬＵＴの更新版を、ここでは、インターネットを介して各端末２０ａ，２０ｂ，……宛てに送出する（図４の処理ブロック４１）。この情報を受取った各端末２０ａ，２０ｂ，……は、該当するデータを用いて、自端末内のγ補正ＬＵＴを書換える（処理ブロック４２）。
【００３３】
各端末２０ａ，２０ｂ，……からは、上述のγ補正ＬＵＴの書換えが終了した時点で、その旨をサーバ１０宛てに通知する（処理ブロック４３）。
サーバ側では、この通知に基づき、データ管理機能部１２ｂ内の記憶内容を更新して、実際の状態との一致を図る。
【００３４】
なお、上述の実施形態において示したγ補正ＬＵＴは、経時的変化等によるディスプレイの輝度の低下等に対処するために用いられるものであり、経時に応じて予め準備されている場合もあるが、それを実際の輝度の変化に忠実に追従させることで、より正確な表示特性の維持を目的としているものである。
【００３５】
上記実施形態によれば、例えばＪＩＳに規定されているタイミングに則って、必要な時点で必要な試験を確実に行うことが、人手を実質的に介さずに可能となり、また、この動作全体が、サーバによる管理の下で、簡単な構成のシステムで実現できるという大きな効果を奏するものである。
【００３６】
なお、上記実施形態は本発明の一例を示したものであり、本発明はこれに限定されるべきものではなく、本発明の要旨を逸脱しない範囲内において適宜の変更または改良を行ってもよいことはいうまでもない。
【００３７】
例えば、キャリブレーションで対象とする画質としては、実施形態に挙げたガンマ補正に限られるわけではなく、これ以外にも、粒状性，シャープネス（鮮鋭度）の補正を目的とすることもあり得る。なお、前述のガンマ補正ＬＵＴの修正に関しては、本出願人の出願に係る特開２００２−１０８２９７号公報の記載を参照されたい。
【００３８】
また、前述のように、本発明に係るキャリブレーションシステムで用いる通信手段は、有線もしくは無線ネットワークのいずれでもよく、また、これらが適宜組み合わされたものであってもよい。
【００３９】
さらに、上述の実施形態に示したサーバの内部構成等はあくまでも一例を示したものであり、ソフトウェアで構成する場合には、明確な境界が定めにくい場合もあることから、全体としてここに例示した機能を実現することができるものであれば、その詳細な内部構成は自由に決定してよいものである。
【００４０】
【発明の効果】
以上、詳細に説明したように、本発明によれば、規格の改定があった場合などにも容易に追随可能で、人手を掛けずにフォローアップが可能なキャリブレーションシステムを実現できるという顕著な効果を奏するものである。
【００４１】
より具体的には、有線もしくは無線ネットワークで接続された複数のディスプレイ端末のキャリブレーションを、そのネットワークに接続された上位装置からの指示で各端末自身に実行させるようにして、効率化を図ったキャリブレーションシステムを実現できるという効果を奏するものである。
【図面の簡単な説明】
【図１】本発明の一実施形態に係るキャリブレーションシステムを、ＨＩＳあるいはＲＩＳに適用した場合における概略構成示す図である。
【図２】サーバ１０の機能構成を説明する図である。
【図３】本実施形態に係るシステムの動作を示す図（その１）である。
【図４】本実施形態に係るシステムの動作を示す図（その２）である。
【符号の説明】
１０  サーバ
１１  全体制御部
１２  端末管理部
１２ａ  スケジューラ機能部
１２ｂ  データ管理機能部
１２ｃ  端末情報取得機能部
１２ｄ  演算部
１２ｅ  キャリブレーション補助機能部
２０ａ，２０ｂ，……  ディスプレイ端末
３０  ネットワーク
３１〜３３，４１〜４３  処理ブロック
【図１】
2004172799.tif 000003
【図２】
2004172799.tif 000004
【図３】
2004172799.tif 000005
【図４】
2004172799.tif 000006